(57)【要約】  【課題】構成の簡素化を図ることができる洗浄装置を提供する。  【解決手段】洗浄装置１は、開口部２開閉する開閉体11と、被洗浄物を載置する載置体31と、被洗浄物を押え付ける押え体41とを備える。開閉体11は、回動中心軸12を中心とする開方向への回動により開口部２を開き、回動中心軸12を中心とする閉方向への回動により開口部２を閉じる。押え体41は、開閉体11の開方向への回動に連動して上昇し、開閉体11の閉方向への回動に連動して下降する。開閉体11の閉方向への回動時にその回動途中で押え体41を被洗浄物に当接させ、被洗浄物を押え体41の自重で載置体31に対して押え付ける。  【選択図】図２
2006205052.tif 000002
【特許請求の範囲】
【請求項１】
被洗浄物が開口部から洗浄室に収容され、この収容された被洗浄物を洗浄液の噴射により洗浄する洗浄装置であって、
前記開口部を開閉する開閉体と、
被洗浄物が載置される載置体と、
被洗浄物が洗浄液の噴射にて移動しないように被洗浄物を前記載置体に対して押え付ける押え体とを備え、
前記開閉体は、水平方向の回動中心軸を中心とする開方向への回動により前記開口部を開き、前記回動中心軸を中心とする閉方向への回動により前記開口部を閉じ、
前記押え体は、前記開閉体の開方向への回動に連動して上昇し、前記開閉体の閉方向への回動に連動して下降し、
前記開閉体の閉方向への回動時にその回動途中で前記押え体が前記載置体に載置された被洗浄物に当接し、この被洗浄物がその押え体の自重によって前記載置体に対して押え付けられる
ことを特徴とする洗浄装置。
【請求項２】
開口部の全閉時に開閉体の当接部が当接する被当接部を備え、
前記開口部が略閉じられた状態時において前記当接部と前記被当接部とで障害物が挟まれた場合には、その障害物には前記開閉体の自重のみが作用する
ことを特徴とする請求項１記載の洗浄装置。
【請求項３】
押え体は、ガイドレールに沿って昇降可能となっている
ことを特徴とする請求項１または２記載の洗浄装置。
【請求項４】
押え体は、回転可能な載置体に載置された被洗浄物とともに回転する押え回転部を有する
ことを特徴とする請求項１ないし３のいずれか一記載の洗浄装置。
【発明の詳細な説明】
【技術分野】
【０００１】
本発明は、被洗浄物が開口部から洗浄室に収容されこの収容された被洗浄物を洗浄液の噴射により洗浄する洗浄装置に関するものである。
【背景技術】
【０００２】
従来、例えば開口部を開閉する開閉体と、被洗浄物が載置される載置体と、被洗浄物が洗浄液の噴射にて移動しないように被洗浄物を載置体に対して押え付ける昇降可能な押え体とを備え、押え体が水圧シリンダに圧入された液圧力によってばねの付勢に抗して下降して被洗浄物に当接する容器類噴射洗浄機等の洗浄装置が知られている（例えば、特許文献１参照）。
【特許文献１】実開昭６１−１１５１７８号公報
【発明の開示】
【発明が解決しようとする課題】
【０００３】
しかしながら、上記従来の洗浄装置のように、押え体が水圧シリンダに圧入された液圧力によってばねの付勢に抗して下降して被洗浄物に当接する構造では、構成が複雑となりがちである。
【０００４】
本発明は、このような点に鑑みなされたもので、構成の簡素化を図ることができ、製造コストを低減できる洗浄装置を提供することを目的とする。
【課題を解決するための手段】
【０００５】
請求項１記載の洗浄装置は、被洗浄物が開口部から洗浄室に収容され、この収容された被洗浄物を洗浄液の噴射により洗浄する洗浄装置であって、前記開口部を開閉する開閉体と、被洗浄物が載置される載置体と、被洗浄物が洗浄液の噴射にて移動しないように被洗浄物を前記載置体に対して押え付ける押え体とを備え、前記開閉体は、水平方向の回動中心軸を中心とする開方向への回動により前記開口部を開き、前記回動中心軸を中心とする閉方向への回動により前記開口部を閉じ、前記押え体は、前記開閉体の開方向への回動に連動して上昇し、前記開閉体の閉方向への回動に連動して下降し、前記開閉体の閉方向への回動時にその回動途中で前記押え体が前記載置体に載置された被洗浄物に当接し、この被洗浄物がその押え体の自重によって前記載置体に対して押え付けられるものである。
【０００６】
そして、開閉体の閉方向への回動時にその回動途中で押え体が載置体に載置された被洗浄物に当接し、この被洗浄物がその押え体の自重によって載置体に対して押え付けられる構成であるから、構成の簡素化が図られ、製造コストが低減する。
【０００７】
請求項２記載の洗浄装置は、請求項１記載の洗浄装置において、開口部の全閉時に開閉体の当接部が当接する被当接部を備え、前記開口部が略閉じられた状態時において前記当接部と前記被当接部とで障害物が挟まれた場合には、その障害物には前記開閉体の自重のみが作用するものである。
【０００８】
そして、開口部が略閉じられた状態時において当接部と被当接部とで障害物が挟まれた場合には、その障害物には開閉体の自重のみが作用するため、障害物に大きな力が働くことを防止することが可能である。
【０００９】
請求項３記載の洗浄装置は、請求項１または２記載の洗浄装置において、押え体は、ガイドレールに沿って昇降可能となっているものである。
【００１０】
そして、押え体をガイドレールに沿ってスムーズに昇降させることが可能である。
【００１１】
請求項４記載の洗浄装置は、請求項１ないし３のいずれか一記載の洗浄装置において、押え体は、回転可能な載置体に載置された被洗浄物とともに回転する押え回転部を有するものである。
【００１２】
そして、押え回転部にて被洗浄物を載置体に対して押え付けながら被洗浄物を適切に回転させることが可能である。
【発明の効果】
【００１３】
請求項１に係る発明によれば、開閉体の閉方向への回動時にその回動途中で押え体が載置体に載置された被洗浄物に当接し、この被洗浄物がその押え体の自重によって載置体に対して押え付けられる構成であるから、構成の簡素化を図ることができ、製造コストを低減できる。
【００１４】
請求項２に係る発明によれば、開口部が略閉じられた状態時において当接部と被当接部とで障害物が挟まれた場合には、その障害物には開閉体の自重のみが作用するため、障害物に大きな力が働くことを防止できる。
【００１５】
請求項３に係る発明によれば、押え体をガイドレールに沿ってスムーズに昇降させることができる。
【００１６】
請求項４に係る発明によれば、押え回転部にて被洗浄物を載置体に対して押え付けながら被洗浄物を適切に回転させることができる。
【発明を実施するための最良の形態】
【００１７】
本発明の洗浄装置の一実施の形態を図面を参照して説明する。
【００１８】
図１ないし図９において、１は洗浄装置で、この洗浄装置１は、被洗浄物Ｗ、例えば上面開口状の容器である炊飯釜が開口部２から洗浄室３に収容され、この収容された被洗浄物Ｗを洗浄液の噴射により洗浄するバッチ式の容器洗浄装置である。
【００１９】
洗浄装置１は、洗浄室３を内部に有するとともに側方に向って開口する開口部２を一側面部に有する装置本体５を備え、この装置本体５の底面部には複数の脚体６が設けられている。
【００２０】
装置本体５には、開口部２を開閉する開閉体（扉体）11が水平方向の回動中心軸12を中心として上下方向に回動可能に設けられている。
【００２１】
開閉体11は、回動中心軸12を中心とする開方向（上方向）への回動により開口部２を開き、回動中心軸12を中心とする閉方向（下方向）への回動により開口部２を閉じる。
【００２２】
開閉体11は、開口部２に対応する形状に形成され開口部２を開閉する開閉板部13を有し、開閉板部13の下端部の幅方向両端から一対の支持アーム部14が突出し、各支持アーム部14にはレール部15が設けられている。互いに離間対向した一対の支持アーム部14間の距離は被洗浄物Ｗより大きくなっている。また、一方の支持アーム部14側の回動中心軸12から突出アーム部16が上方に向って突出し、この突出アーム部16の上端部には丸棒状の突起17が形成されている。なお、開閉板部13の下端部が、開口部２の全閉時に装置本体５の開口部２に臨んだ被当接部18に当接する当接部19となっている。
【００２３】
また、図６ないし図９に示されるように、装置本体５には１つの駆動手段である電動モータ21が設けられ、電動モータ21からの動力で回動中心軸12と同軸上に位置する回動中心軸22を中心として回動する回動アーム部23が電動モータ21に設けられている。回動アーム部23の上端部には、開口部２の全開時に上限停止用スイッチ25と接触し開口部２の全閉時に下限停止用スイッチ26と接触する丸棒状の突起27が形成されている。開閉体11側の回動中心軸12にある突出アーム部16と電動モータ21側の回動中心軸12にある回動アーム部23とは連結されておらず、突出アーム部16は、開口部２を全開させようとする方向へ回動する回動アーム部23の前部に位置している。
【００２４】
そして、図６に示すように、開口部２の全開時には、開閉体11の重心が回動中心軸12より開口部２側にあるため、開閉体11の自重に基づいて開閉体11の突出アーム部16の突起17が回動アーム部23に当接している。また、回動アーム部の突起は上限停止用スイッチに接触している。そして、図７に示すように、電動モータ21が作動して回動アーム部23が回動中心軸22を中心として回動すると、この回動アーム部23と係合して追従している突出アーム部16の回動に応じて開閉体11が回動中心軸12を中心として閉方向に回動し、この開閉体11の当接部が被当接部と当接するとともに、回動アーム部23の突起27が下限停止用スイッチ26に接触した時点で停止する。このように、回動アーム部23が開口部２を開くために回動する時は、開閉体11の自重を持ち上げようと突起と係合して突出アーム部16を押してゆっくり回動させていき、また回動アーム部23が開口部２を閉じるために回動する時は、開閉体11の自重で一気に下がらないように突起17と結合して突出アーム部16を支持してゆっくり回動させるようになっている。
【００２５】
また、装置本体５には、被洗浄物Ｗが洗浄室３内において載置される載置体31が上下方向の回転中心軸32を中心として回転可能に設けられている。載置体31は、図示しない駆動手段である電動モータからの動力で回転中心軸32を中心として回転する。
【００２６】
さらに、装置本体５には、上面開口を下にして洗浄室３内の載置体31に載置された被洗浄物Ｗが洗浄液の噴射にて移動しないように、被洗浄物Ｗを上方から載置体31に対して押え付ける押え体41が上下方向に延びた一対のガイドレール42に沿って昇降可能に設けられている。
【００２７】
押え体41は、開閉体11の開方向への回動に連動してガイドレール42に沿って上昇し、開閉体11の閉方向への回動に連動してガイドレール42に沿って下降する。
【００２８】
押え体41は、図１０にも示すように、略矩形枠状のベース部43を有し、ベース部43には回転可能な載置体31上の被洗浄物Ｗと環状に当接した状態でその被洗浄物Ｗとともに回転する略リング状の押え回転部44が回転可能に設けられている。
【００２９】
また、ベース部43の長手方向一端部には、一対のガイドレール42の間の位置でそのガイドレール42に沿って摺動する略矩形枠状の被ガイド部45が設けられている。ベース部43の長手方向他端部には、ベース部43の側面から側方に向って突出し軸方向が水平方向に一致した軸部46が設けられ、この軸部46の軸方向両端部には開閉体11の回動にともない、押え体41の昇降を連動させるため、開閉体11のレール部15上を回転しながら摺動するローラ部47が回転可能に設けられている。さらに、ベース部43は押え回転部44ががたつかないよう押え回転部44を支持する支持ローラ48を有し、被ガイド部45はガイドレール42に沿って摺動するガイドローラ49を有している。
【００３０】
そして、図５に示されるように、洗浄装置１では、開閉体11の閉方向への回動時に、その回動途中で、開閉体11の回動に連動して下降する押え体41が載置体31に載置された被洗浄物Ｗに当接する。そして、当接した位置から下降を停止した押え体41は開閉体11から離れてその被洗浄物Ｗ上に載った状態となり、この被洗浄物Ｗがその押え体41の自重（例えば約１０ｋｇ）のみによって載置体31に対して押え付けられる。また、押え体41と離れた開閉体11は、押え体41が開閉体11の回動に連動して下降していた時のように、押え体41の自重の加わったローラ部47を開閉体11のレール部15が支持していたところから解除され、開閉体11の自重だけの状態となって閉方向へ回動して、開口部２を閉じるようになっている。なお、被洗浄物Ｗが載置体31に載置されていない状態での開閉体11の閉方向への回動時には、開閉体11の当接部19が被当接部18に当接する手前で押え体41が載置体31に当接し、その当接した位置が昇降自在とする押え体41の下限位置となって下降を停止し、開閉体11がその停止した押え体41から離れて閉方向に向って回動する。
【００３１】
そして、図８に示すように、開閉体11が閉方向に回動して開閉体11の開閉板部13にて開口部２が略閉じられた状態時において、開閉体11の当接部19と装置本体５の被当接部18とで障害物Ａ、例えば作業者の手が挟まれた場合には、回動アーム部23だけは、突起が下限停止用スイッチ25と接触するまで回動するが、突出アーム部16は回動アーム部23から離れ、それ以上開閉体11が閉方向へ回動することはなく、その障害物Ａには開閉体11の自重のみが作用するようになっている。
【００３２】
すなわち、被洗浄物Ｗが洗浄室３に収容されていない状態では、押え体41が載置体31に当接することで、押え体41のローラ部47が開閉体11のレール部15から離れてからも、開閉体11は閉方向に回動を続け、回動アーム部23が下限停止スイッチ26と接触して停止することとなる。このようにローラ部47がレール部15から離れ、押え体41の自重を解除されてから停止するまで開閉体11が回動する間隔を開閉体11の当接部19と装置本体５の被当接部18との間の距離（開口高さ）Ｂとして約７ｃｍあり、この範囲内であれば障害物Ａに対して開閉体11の自重のみが作用する。しかし距離Ｂがそれ以上になると開閉体11の自重に押え体41の自重が加えられることとなる。
【００３３】
また、被洗浄物Ｗが載置体31に載置された状態での開閉体11が閉方向へ回動する時には、押え体41が被洗浄物Ｗに当接すると、押え体41のローラ部47が開閉体11のレール部15から離れることから、開閉体11がそれ以降閉方向に回動する範囲において、障害物Ａが挟まれたとしても開閉体11の自重のみが作用することとなる。
【００３４】
また一方、装置本体５の洗浄室３には、回転する被洗浄物Ｗに向けて洗浄液を噴射する液噴射手段51が配設されている。液噴射手段51は、主洗浄用パイプ52および仕上洗浄用パイプ53を有し、主洗浄用パイプ52には主洗浄時に第１ポンプ55の作動により主洗浄用タンク56から洗浄液が供給され、仕上洗浄用パイプ53には仕上洗浄時に第２ポンプ57の作動により仕上洗浄用タンク58から洗浄液が供給される。
【００３５】
次に、上記一実施の形態の作用等を説明する。
【００３６】
洗浄装置１を使用して被洗浄物Ｗを洗浄する場合、電動モータ21を作動させて開口部２を閉じている開閉体11を開方向に向けて回動させる。
【００３７】
開閉体11が開方向に向って多少回動していくと、この開閉体11の回動に連動して載置体31に当接していた押え体41がガイドレール42に沿って上昇し、その結果、図４に示すような開口部２の全開状態となる。
【００３８】
すなわち、開閉体11の突出アーム部16の突起17が回動アーム部23にて押されることにより、開閉体11全体が回動中心軸12を中心として開方向へ回動する。そして、開閉体11の回動に伴って押え体41のローラ部47が開閉体11のレール部15にて下方から押し上げられることにより、押え体41全体がガイドレール42に沿って上昇し、その結果、図４に示すような開口部２の全開状態となる。
【００３９】
そして、汚れた被洗浄物Ｗを開口部２から洗浄室３内に入れ、この被洗浄物Ｗを載置体31上に載置する。
【００４０】
次いで、電動モータ21を作動させて開閉体11を閉方向に向けて回動させると、この開閉体11の回動に連動して押え体41がガイドレール42に沿って下降する。
【００４１】
そして、押え体41が載置体31上の被洗浄物Ｗに当接すると、押え体41は被洗浄物Ｗ上に載った状態となり、被洗浄物Ｗは押え体41の自重によって押え付けられて載置体31に対して固定された状態となる。また、押え体41が被洗浄物Ｗに当接し下降を停止した以降において、開閉体11は押え体41の自重が加わらなくなり、開閉体11の自重のみとなって、開口部２を閉じるまで閉方向へ回動する。
【００４２】
その後、載置体31の回転により被洗浄物Ｗが押え体41の押え回転部44とともに回転し、この回転する被洗浄物Ｗに向けて液噴射手段51から洗浄液が噴射され、この洗浄液の噴射により被洗浄物Ｗの洗浄が行われる。このとき、被洗浄物Ｗは、押え体41の自重で載置体31に対して押え付けられているため、洗浄液の噴射によって移動するようなことがない。
【００４３】
洗浄された被洗浄物Ｗは、開閉体11の回動により開口部２を開口させるとともに自重によって押え付けていた押え体41を上昇させた後、洗浄室３内から外に取り出す。
【００４４】
そして、上記一実施の形態によれば、開閉体11の閉方向への回動時にその回動途中で押え体41が載置体31に載置された被洗浄物Ｗに当接し、この被洗浄物Ｗがその押え体41の自重によって載置体31に対して押え付けられる構成であるから、従来の洗浄装置に比べて、構成の簡素化を図ることができ、製造コストを低減できる。
【００４５】
また、押え体41が載置体31と当接するまで下降するとともに、回動アーム部23が下限停止用スイッチ26に接触して停止して開口部２が略閉じられた状態時において開閉体11の当接部19と装置本体５の被当接部18とで障害物Ａ、例えば作業者の手が挟まれた場合でも、その障害物Ａには押え体41の自重は作用せず開閉体11の自重のみが作用するため、障害物Ａに大きな力が働くことを防止でき、作業者の安全性の向上を図ることができる。
【００４６】
さらに、開閉体11で開口部２を閉じると、既に押え体41による被洗浄物Ｗに対する押え処理が完了するため、被洗浄物Ｗの押えを忘れて洗浄液による洗浄を開始するようなことがない。
【００４７】
また、押え体41は、開閉体11の閉方向への回動に連動して比較的低速で下降するため、被洗浄物Ｗとの当接時に大きな衝撃音が発生することがなく、被洗浄物Ｗとの当接時に被洗浄物Ｗを損傷することもない。
【００４８】
なお、押え体41の自重を重くするために、押え体41に重錘を設けてもよい。
【００４９】
また、開閉体11の当接部と載置本体５の被当接部18とで障害物８を挟んだ時、開閉体11の自重を軽くして負担を少なくするために、開閉体11の支持アーム部14を回動中心軸12より洗浄室３奥側に延長して重錘を設けて重心を洗浄室３奥側にずらすようにしてもよい。
【図面の簡単な説明】
【００５０】
【図１】本発明の洗浄装置の一実施の形態を示す正面視断面図である。
【図２】同上洗浄装置の全閉時の側面視断面図である。
【図３】同上洗浄装置の開き途中の側面視断面図である。
【図４】同上洗浄装置の全開時の側面視断面図である。
【図５】同上洗浄装置のセット完了した全閉時の側面視断面図である。
【図６】同上洗浄装置の全開時の側面視断面図である。
【図７】同上洗浄装置の閉じ途中の側面視断面図である。
【図８】同上洗浄装置の閉じ途中で手を挟んだ状態の側面視断面図である。
【図９】同上洗浄装置の全閉時の側面視断面図である。
【図１０】同上洗浄装置の押え体の斜視図である。
【符号の説明】
【００５１】
１    洗浄装置
２    開口部
３    洗浄室
11    開閉体
12    回動中心軸
18    被当接部
19    当接部
31    載置体
41    押え体
42    ガイドレール
44    押え回転部
Ｗ    被洗浄物
Ａ    障害物
【図１】
2006205052.tif 000003
【図２】
2006205052.tif 000004
【図３】
2006205052.tif 000005
【図４】
2006205052.tif 000006
【図５】
2006205052.tif 000007
【図６】
2006205052.tif 000008
【図７】
2006205052.tif 000009
【図８】
2006205052.tif 000010
【図９】
2006205052.tif 000011
【図１０】
2006205052.tif 000012